(57)【特許請求の範囲】
【請求項１】
内周側に光学素子が同軸に挿入された筒体と、
前記筒体を内周側に保持する枠体と、
軸線方向の前方から前記光学素子の前面の外周縁部分に当接可能な前側ストッパと、
前記軸線方向の後方から前記光学素子の後面の外周縁部分に当接可能な後側ストッパと、を有し、
前記前側ストッパは、前記筒体の前端部分に設けられており、
前記後側ストッパは、前記枠体に設けられており、
前記筒体の後端は、前記後側ストッパに前方から当接し、
前記前側ストッパと前記後側ストッパとの間において前記光学素子を軸線回りに回転可能な状態で保持し、前記光学素子を前記前側ストッパおよび前記後側ストッパの一方に当接させたときに、前記光学素子と前記前側ストッパおよび前記後側ストッパの他方との間には前記軸線回りの全周に渡って隙間が形成されることを特徴とする光学素子の保持構造。
【請求項２】
請求項１において、
前記隙間は、０．０５ｍｍ以下であることを特徴とする光学素子の保持構造。
【請求項３】
請求項１において、
前記筒体と前記光学素子との間に介在する接着剤を有し、
前記接着剤は、前記光学素子を前記筒体に回転不能に固定することを特徴とする光学素子の保持構造。
【請求項４】
請求項３において、
前記筒体は、前記軸線方向と交差する方向に貫通する貫通孔を備え、
前記接着剤は、前記貫通孔を介して前記筒体と前記光学素子との間に入り込んでいることを特徴とする光学素子の保持構造。
【請求項５】
請求項１に記載の光学素子の保持構造を有し、
前記光学素子として光学フィルタを保持することを特徴とするカメラ用フィルタ枠。
【請求項６】
請求項１に記載の光学素子の保持構造と、
前記筒体の内周側に保持された光学フィルタと、
を有することを特徴とするカメラ用フィルタユニット。
【請求項７】
請求項１に記載の光学素子の保持構造と、
前記筒体の内周側に保持された光学レンズと、
を有することを特徴とする撮像レンズ。
【発明の詳細な説明】
【技術分野】
【０００１】
本発明は、光学フィルタや光学レンズなどの光学素子を低ストレスで保持する保持構造に関する。また、フィルタを低ストレスで保持するカメラ用フィルタ枠およびカメラ用フィルタユニット、および、光学レンズを低ストレスで保持する撮像レンズに関する。
【背景技術】
【０００２】
撮像レンズのレンズ鏡筒に取り付けられるカメラ用フィルタユニットは特許文献１に記載されている。同文献のカメラ用フィルタユニットは、円盤状の光学フィルタと、光学フィルタが同軸に嵌め込まれた筒状のフィルタ保持リングと、光学フィルタに前方から当接して光学フィルタの前方への移動を阻止する前側ストッパと、光学フィルタの後方への移動を阻止する後側ストッパを備えている。前側ストッパはフィルタ保持リングの前端縁から内周側に向かって突出した突起である。後側ストッパはフィルタ保持リングの後端部が内周側にカシメられることにより形成されたカシメ部である。光学フィルタは前側ストッパと後側ストッパにより挟持されている。
【先行技術文献】
【特許文献】
【０００３】
【特許文献１】特開２０１０−１１３０１６号公報
【発明の概要】
【発明が解決しようとする課題】
【０００４】
ここで、前側ストッパと後側ストッパから光学フィルタにかかるストレス（圧力）を軽減できれば、フルハイビジョンの何倍にもなる高解像度の撮影を行う場合などに、より綺麗な撮影画像や撮影動画が得られる可能性がある。
【０００５】
本発明の課題は、かかる点に鑑みて、光学フィルタや光学レンズを低ストレスで保持する光学素子の保持構造を提供することにある。また、光学フィルタを低ストレスで保持するカメラ用フィルタ枠およびカメラ用フィルタユニットを提供することにある。さらに、光学レンズを低ストレスで保持する撮像レンズを提供することにある。
【課題を解決するための手段】
【０００６】
上記の課題を解決するために、本発明の光学素子の保持構造は、内周側に光学素子が同軸に挿入された筒体と、前記筒体を内周側に保持する枠体と、軸線方向の前方から前記光学素子の前面の外周縁部分に当接可能な前側ストッパと、前記軸線方向の後方から前記光
学素子の後面の外周縁部分に当接可能な後側ストッパと、を有し、前記前側ストッパは、前記筒体の前端部分に設けられており、前記後側ストッパは、前記枠体に設けられており、前記筒体の後端は、前記後側ストッパに前方から当接し、前記前側ストッパと前記後側ストッパとの間において前記光学素子を軸線回りに回転可能な状態で保持することを特徴とする。
【０００７】
本発明の光学素子の保持構造では、前側ストッパと後側ストッパの間において光学素子を軸線回りに回転可能な状態で筒体と同軸に保持する。光学素子を前後から挟持する従来の光学素子の保持構造では、前側ストッパと後側ストッパから光学フィルタにかかるストレスを低減させるのには限界があった。これに対して、本発明では、光学フィルタを挟持しない構成を採用したので、光学フィルタにかかるストレスをゼロに近づけることができる。また、本発明は、前記筒体を内周側に保持する枠体を有する。このようにすれば、筒体に保持された光学フィルタなどの光学素子を、枠体を介して、レンズ鏡筒に取り付けることができる。また、筒体に保持された光学レンズなどの光学素子を、枠体を介して、カメラなどの撮像装置や投影装置などに取り付けることができる。さらに、本発明では、前記前側ストッパは、前記筒体に設けられており、前記後側ストッパは、前記枠体に設けられている。このようにすれば、光学素子を前側ストッパと後側ストッパの間で筒体と同軸に保持することが容易となる。また、本発明では、前記前側ストッパは、前記筒体の前端部分に設けられており、前記筒体の後端は、前記後側ストッパに前方から当接している。このようにすれば、筒体の後端と後側ストッパの当接によって、筒体に設けられた前側ストッパと枠体に設けられた後側ストッパの間隔を正確に規定できる。従って、光学素子を軸線回りに回転可能な状態で保持することが容易となる。
【０００８】
また、本発明は、光学素子を軸線回りに回転可能な状態で保持するために、前記光学素子を前記前側ストッパおよび前記後側ストッパの一方に当接させたときに、前記光学素子と前記前側ストッパおよび前記後側ストッパの他方との間には前記軸線回りの全周に渡って隙間が形成されることを特徴とする。
【０００９】
本発明において、前記隙間は、０．０５ｍｍ以下とすることが望ましい。このような寸法精度で前側ストッパと後側ストッパとの間の距離を管理すれば、光学素子のガタつきを防止できる。
【００１０】
本発明において、前記筒体と前記光学素子との間に介在する接着剤を有し、前記接着剤は、前記光学素子を前記筒体に回転不能に固定することが望ましい。このようにすれば、前後方向からの挟持によらずに光学素子を回転不能とすることができる。
【００１１】
本発明において、筒体と光学素子の間に接着剤を介在させるためには、前記筒体は、前記軸線方向と交差する方向に貫通する貫通孔を備え、前記接着剤は、前記貫通孔を介して前記筒体と前記光学素子との間に入り込んでいるものとすることができる。
【００１２】
次に、本発明のカメラ用フィルタ枠は、上記の光学素子の保持構造を有し、前記光学素子として光学フィルタを保持することを特徴とする。
【００１３】
本発明のカメラ用フィルタ枠によれば、光学フィルタを低いストレス（圧力）で保持できる。
【００１４】
また、本発明のカメラ用フィルタユニットは、上記の光学素子の保持構造と、前記筒体の内周側に保持された光学フィルタと、を有することを特徴とする。
【００１５】
本発明のカメラ用フィルタユニットによれば、光学フィルタにかかるストレス（圧力）
が低い。従って、高解像度の撮影を行う場合などに撮像レンズにカメラ用フィルタユニットを装着した場合でも、綺麗な撮影画像や撮影動画を得ることができる。
【００１６】
また、本発明の撮像レンズは、上記の光学素子の保持構造と、前記筒体の内周側に保持された光学レンズと、を有することを特徴とする。
【００１７】
本発明の撮像レンズによれば、光学レンズにかかるストレス（圧力）が低い。従って、高解像度の撮影を行う場合などに、綺麗な撮影画像や撮影動画を得ることができる。
【図面の簡単な説明】
【００１８】
【図１】参考例１のカメラ用フィルタユニットの斜視図である。
【図２】参考例１のカメラ用フィルタユニットの縦断面図と部分拡大断面図である。
【図３】カメラ用フィルタユニットの組立方法の説明図である。
【図４】カメラ用フィルタ枠に保持された光学フィルタのニュートンリングおよび光学フィルタのみのニュートンリングである。
【図５】参考例２のカメラ用フィルタユニットの縦断面図および部分拡大断面図である。
【図６】後側ストッパを形成する折り曲げ加工の説明図である。
【図７】参考例２の変形例のカメラ用フィルタユニットの部分拡大断面図である。
【図８】実施例のカメラ用フィルタユニットの縦断面図および部分拡大断面図である。
【図９】参考例３のカメラ用フィルタユニットの縦断面図および部分拡大断面図である。
【図１０】本発明を適用した撮像レンズの縦断面図および部分拡大断面図である。
【発明を実施するための形態】
【００１９】
以下に、図面を参照して本発明を適用したカメラ用フィルタユニットを説明する。
【００２０】
（参考例１）
（全体構成）
図１はカメラ用フィルタユニットの斜視図である。図１に示すように、本発明の参考例１のカメラ用フィルタユニット１は、光学フィルタ（光学素子）２と、光学フィルタ２が同軸に嵌め込まれた筒状のフィルタ保持リング（筒体）３と、フィルタ保持リング３を外周側から同軸に保持する筒状のフィルタ枠（枠体）４を有する。以下の説明では、フィルタ保持リングおよびフィルタ枠４の軸線Ｌ方向をカメラ用フィルタユニット１の前後方向Ｘとする。
【００２１】
光学フィルタ２およびフィルタ保持リング３は、フィルタ枠４の前後の端から露出しない状態に配置されている。フィルタ枠４の外周面には、その後端縁から前方Ｘ１に向かって一定幅の部分に枠側雄ねじ５が形成されている。枠側雄ねじ５は、カメラ用フィルタユニット１を撮像レンズのレンズ鏡筒やカメラに装着するための装着部である。本例では、枠側雄ねじ５のピッチは０．７５ｍｍであり、装着部として一般的に形成されている雄ねじである。フィルタ保持リング３およびフィルタ枠４は金属基材から形成されており、本例では、アルミニウム製である。フィルタ保持リング３およびフィルタ枠４は光学フィルタ２を保持するカメラ用フィルタ枠６を構成する。
【００２２】
（光学フィルタ）
図２（ａ）はカメラ用フィルタユニット１を模式的に示した縦断面図であり、図２（ｂ）は光学フィルタ２の外周縁部分の近傍を拡大した部分拡大断面図である。図２（ａ）に示すように、光学フィルタ２は円盤形状であり、軸線Ｌと直交する前側フィルタ面１１および後側フィルタ面１２を備える。後側フィルタ面１２の外周縁には、図２（ｂ）に示すように、前方Ｘ１に向かって外周側に傾斜するテーパー状の環状面取面（テーパー状の後面部分）１３が連続している。環状面取面１３の前端縁には径寸法が一定の環状外周面１
４が連続している。環状外周面１４の前端縁には前側フィルタ面１１が連続している。ここで、環状面取面１３は光学フィルタに一般的に設けられているものである。なお、光学フィルタ２は、環状外周面１４と前側フィルタ面１１との間に前方Ｘ１に向かって内周側に傾斜するテーパー状の環状面取面が設けられている場合もある。
【００２３】
（フィルタ保持リング）
フィルタ保持リング３は、前端縁に内周側に突出する前側ストッパ２１を備える。前側ストッパ２１は環状突起である。前側ストッパ２１の環状前端面はフィルタ保持リング３と同心の溝が複数形成されることにより乱反射面となっている。前側ストッパ２１の環状後端面（後向き面）２１ａは軸線Ｌと直交する平坦面である。前側ストッパ２１は、環状後端面２１ａが光学フィルタ２の前側フィルタ面１１の外周縁に前方Ｘ１から当接して光学フィルタ２の前方Ｘ１への移動を阻止している。
【００２４】
また、フィルタ保持リング３は、その後端部が環状面取面１３に沿って延びる後側ストッパ２２となっている。ここで、フィルタ保持リング３は、図２（ｂ）に示すように、光学フィルタ２の環状面取面１３と環状外周面１４の境界の角部１５の径方向の外側に位置する部位の外周面に環状溝２３を備える。後側ストッパ２２は、この環状溝２３が設けられている部分が角部１５に沿って内周側に折り曲げられることにより、形成されている。
【００２５】
図２に示す状態では、すなわち、カメラ用フィルタユニットが組み立てられている状態では、前側ストッパ２１の環状後端面２１ａが光学フィルタ２の前側フィルタ面１１の外周縁の全周に当接している。一方、後側ストッパ２２は、０．０２ｍｍ〜０．０４ｍｍ程度の極狭い隙間を開けて環状面取面１３と対峙している。後側ストッパ２２の後端は環状面取面１３の途中に位置する。すなわち、フィルタ保持リング３の後端は、光学フィルタ２の後側フィルタ面１２よりも前方Ｘ１に位置する。
【００２６】
フィルタ保持リング３において前側ストッパ２１と後側ストッパ２２の間の部位には一定径のリング側環状内周面２４が設けられている。リング側環状内周面２４と光学フィルタ２の環状外周面１４との間には片肉０．０１ｍｍ〜０．０２ｍｍ程度の隙間がある。
【００２７】
フィルタ保持リング３の外周面には、前端縁から後方Ｘ２に向けて一定幅の領域にリング側雄ねじ（筒体側雄ねじ）２５が形成されている。リング側雄ねじ２５のピッチは０．７５ｍｍである。フィルタ保持リング３の外周面においてリング側雄ねじ２５の形成領域Ｑと環状溝２３の間には径寸法が一定の平滑なリング側環状外周面２６が設けられている。リング側環状外周面２６はリング側雄ねじ２５よりも僅かに内周側に位置しており、リング側環状外周面２６とリング側雄ねじ２５の間にはこれらを連続させるリング側環状後向き面２７が設けられている。
【００２８】
（フィルタ枠）
フィルタ枠４の内周面には、その前端縁から後方Ｘ２に向けて一定幅の領域に枠側雌ねじ（枠体側雌ねじ）３１が形成されている。枠側雌ねじ３１にはリング側雄ねじ２５が螺合し、フィルタ枠４には前方Ｘ１からフィルタ保持リング３がねじ込まれている。ここで、枠側雌ねじ３１の形成領域Ｒの幅寸法はリング側雄ねじ２５の形成領域Ｑの幅寸法よりも長い。従って、枠側雌ねじ３１にリング側雄ねじ２５がねじ込まれてフィルタ保持リング３がフィルタ枠４に保持された状態では、枠側雌ねじ３１の前端部分が露出する。露出した枠側雌ねじ３１の前端部分は、レンズキャップの取付け部、或いは、他のカメラ用フィルタユニットを連結するための連結部として用いられる。枠側雌ねじ３１のピッチは０．７５ｍｍであり、装着部として一般的に形成されている雌ねじである。
【００２９】
フィルタ枠４は後端部に内周側に突出する第２の後側ストッパ３２を備える。第２の後
側ストッパ３２は、環状の段部であり、前方Ｘ１を向く環状前端面３２ａと内周側を向く環状内周面３２ｂを備える。環状前端面３２ａは軸線Ｌと直交する平坦面であり、フィルタ保持リング３に保持された光学フィルタ２の後側フィルタ面１２に後方Ｘ２から当接している。
【００３０】
フィルタ枠４の内周面において、枠側雌ねじ３１の形成領域Ｒと環状前端面３２ａの間には、一定径の枠側環状内周面３３が設けられている。枠側環状内周面３３は枠側雌ねじ３１よりも僅かに内周側に位置しており、枠側環状内周面３３と枠側雌ねじ３１の間にはこれらを連続させる枠側環状前向き面３４が設けられている。環状内周面３２ｂは軸線Ｌと平行に延びている。フィルタ枠４の内周側にフィルタ保持リング３が保持された状態では、枠側環状内周面３３とリング側環状外周面２６が狭い間隔を開けて対向する。
【００３１】
ここで、フィルタ保持リング３は、そのリング側雄ねじ２５がフィルタ枠４の枠側雌ねじ３１の途中位置までねじ込まれた状態とされている。また、フィルタ保持リング３はフィルタ枠４との間に介在させた接着剤３５によって、フィルタ枠４に相対回転不能な状態で固定されている。接着剤３５は、枠側環状内周面３３とリング側環状外周面２６の間、枠側環状前向き面３４とリング側環状後向き面２７の間、および、枠側雌ねじ３１とリング側雄ねじ２５の間の少なくとも一箇所に介在している。
【００３２】
（カメラ用フィルタユニットの組立方法）
図３はカメラ用フィルタユニット１の組立方法の説明図である。図３（ａ）に示すように、カメラ用フィルタユニット１を製造する際には、まず、後側ストッパ２２が設けられていない状態の筒状のフィルタ保持リング３に、後方Ｘ２から光学フィルタ２を嵌め込む。次に、フィルタ保持リング３の後端部において光学フィルタ２の角部１５の径方向の外側に位置する部位を内周側に折り曲げる折り曲げ加工を行う。これにより、光学フィルタ２を軸線Ｌ回りに相対回転可能な状態でフィルタ保持リング３に保持する。
【００３３】
折り曲げ加工では、図３（ｂ）に示すように、前側ストッパ２１に光学フィルタ２の前側フィルタ面１１を当接させた状態として、フィルタ保持リング３の後端部を光学フィルタ２の角部１５に沿って折り曲げる。この際に、角部１５の径方向の外側には環状溝２３が形成されている部分が位置するので、フィルタ保持リング３は環状溝２３が形成された部分から内周側に折り曲げられる。ここで、環状溝２３が形成されている部分はその前後の部分と比較して薄い。従って、フィルタ保持リング３の後端部を環状面取面１３に沿った後側ストッパ２２とする折り曲げ加工は比較的弱い力で行うことができる。よって、折り曲げ加工に際して光学フィルタ２にストレスがかかることを抑制できる。また、弱い力でフィルタ保持リング３を折り曲げることができるので、折り曲げ加工の精度が高くなる。従って、光学フィルタ２を、軸線Ｌ回りに回転可能な状態としながら、かつ、そのガタツキを抑制した状態で、フィルタ保持リング３に保持できる。
【００３４】
後側ストッパ２２が形成されると、光学フィルタ２はフィルタ保持リング３に同軸に嵌め込まれて、前側ストッパ２１と後側ストッパ２２の間に保持された状態となる。この状態において、光学フィルタ２はフィルタ保持リング３に対して軸線Ｌ回りに相対回転可能である。すなわち、折り曲げ加工が完了した状態では、光学フィルタ２はフィルタ保持リング３のリング側環状内周面２４に部分的に当接した状態で保持されており、光学フィルタ２の環状外周面１４とリング側環状内周面２４の間には部分的に隙間が形成されている。また、光学フィルタ２を軸線Ｌと垂直な姿勢としたときに、前側フィルタ面１１の外周縁の全周が前側ストッパ２１に当接し、かつ、環状面取面１３の全周が後側ストッパ２２に当接する状態が形成されることはない状態となっている。従って、光学フィルタ２はフィルタ保持リング３に対して相対回転する。
【００３５】
本例では、光学フィルタ２の環状外周面１４とフィルタ保持リング３のリング側環状内周面２４の間に片肉０．０１ｍｍ〜０．０２ｍｍ程度の隙間が形成されている。また、光学フィルタ２を前側ストッパ２１および後側ストッパ２２の双方から離間する位置に配置したときに、光学フィルタ２の前側フィルタ面１１と前側ストッパ２１の間、光学フィルタ２の環状面取面１３と後側ストッパ２２におけるテーパー状の前向き面２２ａとの間は、それぞれ０．０１ｍｍ〜０．０２ｍｍ程度の隙間が形成されている。従って、例えば、一方の手でフィルタ保持リング３の外周面を保持し、他方の手の親指と人差し指で光学フィルタ２を軸線Ｌ方向の両側から軽く摘んだときに、軽い力でフィルタ保持リング３と光学フィルタ２を軸線Ｌ回りに相対回転させることができる。ここで、光学フィルタ２はフィルタ保持リング３に相対回転可能な状態で保持されているので、光学フィルタ２にかかるストレス（圧力）はゼロに近い。
【００３６】
次に、フィルタ保持リング３のリング側環状外周面２６とリング側環状後向き面２７の間の入角に接着剤３５を塗布する。その後、図３（ｃ）に示すように、フィルタ保持リング３をフィルタ枠４に挿入し、リング側雄ねじ２５を枠側雌ねじ３１に螺合させて、フィルタ保持リング３をねじ込む。
【００３７】
フィルタ保持リング３をねじ込む際には、光学フィルタ２をフィルタ保持リング３の前側ストッパ２１に当接させた状態としている。そして、リング側雄ねじ２５を枠側雌ねじ３１の後端までねじ込まず、図３（ｄ）に示すように、光学フィルタ２の後側フィルタ面１２がフィルタ枠４の第２の後側ストッパ３２に当接した時点でそのねじ込みを停止する。これにより、光学フィルタ２の姿勢が規定され、光学フィルタ２のガタツキがなくなる。また、光学フィルタ２はフィルタ保持リング３に対して相対回転不能となる。
【００３８】
その後、図３（ｅ）に示すように、予め設定した設定角度θだけフィルタ保持リング３を更にねじ込み方向Ｔに回転させる。これにより、光学フィルタ２には、前側ストッパ２１と第２の後側ストッパ３２から僅かな力がかかる。
【００３９】
しかる後に、接着剤３５の硬化によってフィルタ保持リング３とフィルタ枠４が相対回転不能な状態に固定されるのを待つ。これにより、カメラ用フィルタユニット１の組み立ては完了する。
【００４０】
本例では、設定角度θを５°としている。従って、フィルタ保持リング３は、光学フィルタ２の後側フィルタ面１２がフィルタ枠４の第２の後側ストッパ３２に当接した時点の角度位置から、ねじ込み方向Ｔに５°回転させられた後にフィルタ枠４に固定される。ここで、枠側雌ねじ３１のピッチは０．７５ｍｍなので、フィルタ保持リング３を５°ねじ込むことにより、フィルタ保持リング３はねじ込みの停止時点からフィルタ枠４上を約０．０１ｍｍだけ後方Ｘ２に移動する。この結果、光学フィルタ２には前側ストッパ２１と第２の後側ストッパ３２から僅かな力が加わるので、光学フィルタ２の固定は確実なものとなる。
【００４１】
なお、設定角度θを７°以下としておけば、フィルタ保持リング３を設定角度θ回転させた場合のフィルタ枠４上におけるフィルタ保持リング３の移動距離が０．０１５ｍｍ以下となり、前側ストッパ２１と第２の後側ストッパ３２が比較的弱い力で光学フィルタ２に当接する。
【００４２】
（作用効果）
本例によれば、光学フィルタ２は軸線Ｌ回りに相対回転可能な状態でフィルタ保持リング３に保持されている。従って、フィルタ保持リング３に保持された状態の光学フィルタ２にかかるストレス（圧力）はゼロに近い。
【００４３】
また、本例では、光学フィルタ２に前側ストッパ２１と第２の後側ストッパ３２を前後から僅かな力で当接させて光学フィルタ２を相対回転不能に固定する。ここで、光学フィルタ２はフィルタ保持リング３に同軸に嵌め込まれて前側ストッパ２１と後側ストッパ２２の間に保持されているので、前側ストッパ２１と第２の後側ストッパ３２によって光学フィルタ２を前後から力を加えた状態で挟み込まなくても光学フィルタ２が脱落することはない。従って、前側ストッパ２１と第２の後側ストッパ３２を僅かな力で光学フィルタ２に当接させておくだけで光学フィルタ２の脱落を防止でき、光学フィルタ２にかかるストレスを抑制できる。
【００４４】
図４（ａ）は、本例のカメラ用フィルタユニット１における光学フィルタ２のニュートンリングであり、図４（ｂ）は光学フィルタ２のみのニュートンリングである。図４から分かるように、本例のカメラ用フィルタユニット１における光学フィルタ２のニュートンリングと、光学フィルタ２のみの状態のニュートンリングの間には、ほとんど差異がない。すなわち、本例によれば、光学フィルタ２は、カメラ用フィルタ枠６に保持された場合でも、単体で存在している状態でも、その面精度にほとんど差が出ない。
【００４５】
また、本例では、フィルタ保持リング３のフィルタ枠４へのねじ込み量を調節することにより、前側ストッパ２１および第２の後側ストッパ３２が光学フィルタ２に当接する圧力を調整できる。例えば、設定角度θを５°よりも小さく設定することによって、光学フィルタ２にかかるストレスをより小さくすることができる。さらに、フィルタ保持リング３とフィルタ枠４は、これらの間に介在させた接着剤３５によって相対位置が規定された状態で固定される。従って、フィルタ保持リング３のフィルタ枠４へのねじ込み量を調節した後に、前側ストッパ２１と第２の後側ストッパ３２の間の距離が変化することがなく、光学フィルタ２にかかるストレスが変化することもない。
【００４６】
さらに、本例では、フィルタ保持リング３の後端（後側ストッパ２２の後端）は、後側フィルタ面１２よりも前方Ｘ１に位置するので、第２の後側ストッパ３２を光学フィルタ２に当接させる際に、フィルタ保持リング３と第２の後側ストッパ３２が干渉することがない。従って、第２の後側ストッパ３２を環状の段部のような簡易な形状とすることができる。
【００４７】
また、本例では、フィルタ保持リング３を外周側から保持するフィルタ枠４を備えるので、フィルタ保持リング３に保持された光学フィルタ２に後方Ｘ２から当接する第２の後側ストッパ３２を設けることが容易である。さらに、フィルタ枠４を備えるので、当該フィルタ枠４に撮像レンズのレンズ鏡筒やカメラへの装着部を設けることが容易である。
【００４８】
（参考例１の変形例）
上記の例では、フィルタ保持リング３は環状溝２３を備えているが、環状溝２３を省略することもできる。また、上記の例では、環状溝２３をフィルタ保持リング３の外周面に設けているが、環状溝２３を、フィルタ保持リング３の内周面において光学フィルタ２の角部１５の径方向の外側に位置する部位に設けてもよい。さらに、環状溝２３をフィルタ保持リング３の外周面および内周面の双方に設けることもできる。
【００４９】
上記の例では、フィルタ保持リング３の後端（後側ストッパ２２の後端）は光学フィルタ２の後側フィルタ面１２より前方Ｘ１に位置するが、フィルタ保持リング３の後端が後側フィルタ面１２より後方Ｘ２に突出していてもよい。この場合には、第２の後側ストッパ３２の環状前端面３２ａに凹部を設けておき、突出しているフィルタ保持リング３の後端をこの凹部内に配置する。これにより、第２の後側ストッパ３２とフィルタ保持リング３の後端の干渉を回避しながら、第２の後側ストッパ３２を後側フィルタ面１２に当接さ
せる。
【００５０】
上記の例では、フィルタ保持リング３をフィルタ枠４にねじ込む際に、フィルタ保持リング３の外周面に接着剤３５を塗布しているが、フィルタ枠４の内周面に接着剤を塗布してもよい。この場合には、枠側環状内周面３３或いは枠側環状前向き面３４に接着剤を塗布することができる。
【００５１】
ここで、設定角度θを０°とすることもできる。すなわち、光学フィルタ２の後側フィルタ面１２がフィルタ枠４の第２の後側ストッパ３２に当接した時点でフィルタ保持リング３のフィルタ枠４へのねじ込みを停止し、フィルタ保持リング３とフィルタ枠４を固定することもできる。
【００５２】
また、枠側雌ねじ３１としては、ピッチが０．５ｍｍの雌ねじ、或いは、ピッチが１ｍｍの雌ねじが設けられる場合もある。枠側雌ねじ３１としてピッチが０．５ｍｍの雌ねじが設けられる場合には、設定角度θは１０°以下とすることができる。また、枠側雌ねじ３１としてピッチが１ｍｍの雌ねじが設けられる場合には、設定角度θを５°以下とすることができる。このようにすれば、フィルタ保持リング３を設定角度θ回転させた場合のフィルタ枠４上におけるフィルタ保持リング３の移動距離が０．０１５ｍｍ以下となり、前側ストッパ２１と第２の後側ストッパ３２が比較的弱い力で光学フィルタ２に当接する。
【００５３】
（参考例２）
図５（ａ）は参考例２のカメラ用フィルタユニットを模式的に示した縦断面図であり、図５（ｂ）は参考例２のカメラ用フィルタユニットにおける光学フィルタ２の外周縁部分の近傍を拡大した部分拡大断面図である。本例のカメラ用フィルタユニット１Ａは、環状溝２３Ａの位置および形状が参考例１のカメラ用フィルタユニット１と相違している。また、本例のカメラ用フィルタユニット１Ａは第２の後側ストッパを有さない。なお、本例のカメラ用フィルタユニット１Ａは参考例１のカメラ用フィルタユニット１と同様の構成を備えるので、対応する部分には同一の符号を付して、その説明を省略する。
【００５４】
図５（ａ）に示すように、本例のカメラ用フィルタユニット１Ａは、光学フィルタ２と、内周側に光学フィルタ２が同軸に嵌め込まれたフィルタ保持リング（筒体）３と、フィルタ保持リング３を外周側から同軸に保持するフィルタ枠（枠体）４を有する。フィルタ保持リング３およびフィルタ枠４は光学フィルタ２を保持するカメラ用フィルタ枠６を構成する。
【００５５】
フィルタ保持リング３は、前端縁に内周側に突出する前側ストッパ２１を備える。図５（ｂ）に示すように、前側ストッパ２１の環状後端面（後向き面）２１ａは軸線Ｌと直交する平坦面である。前側ストッパ２１は光学フィルタ２に前方Ｘ１から当接可能であり、光学フィルタ２の前方Ｘ１への移動を阻止する。また、フィルタ保持リング３は、その後端部分が光学フィルタ２の環状面取面（テーパー状の後面部分）１３に沿って延びる後側ストッパ２２となっている。後側ストッパ２２は光学フィルタ２に後方Ｘ２から当接可能であり、光学フィルタ２の後方Ｘ２への移動を阻止する。
【００５６】
フィルタ枠４は、後端部に後側突部４１を備える。後側突部４１は、フィルタ枠４から内周側に一定高さで突出する環状の突部であり、前方Ｘ１を向く環状前端面４１ａと内周側を向く環状内周面４１ｂを備える。環状内周面４１ｂは光学フィルタ２の環状面取面１３よりも内周側に位置する。環状前端面４１ａは軸線Ｌと直交する平坦面であり、軸線Ｌと直交する方向に延びている。
【００５７】
フィルタ保持リング３は、リング側雄ねじ２５の後方に連続するリング側環状後向き面２７とフィルタ枠４の枠側環状前向き面３４が当接するまでフィルタ枠４にねじ込まれて固定されている。フィルタ保持リング３のフィルタ枠４への固定には接着剤３５を用いることができる。
【００５８】
フィルタ保持リング３がフィルタ枠４に保持された状態では、後側突部４１の環状前端面４１ａと光学フィルタ２の後側フィルタ面１２の間には隙間が形成されている。すなわち、フィルタ枠４の後側突部４１と光学フィルタ２は当接していない。また、カメラ用フィルタユニット１Ａを軸線Ｌ方向の後方Ｘ２から見た場合には、後側ストッパ２２と後側突部４１は重なっており、後側ストッパ２２は後側突部４１に隠れる。後側ストッパ２２の後端と後側突部４１の環状前端面４１ａの間には隙間Ｈが形成されている。この隙間Ｈは、０．０２ｍｍ以下である。
【００５９】
ここで、図６を参照して、本例における後側ストッパ２２の形成方法を説明する。図６は後側ストッパ２２の形成方法の説明図である。図６（ａ）に示すように、フィルタ保持リング３の後端部分は、後側ストッパ２２を設ける前の状態では、光学フィルタ２の環状外周面１４と平行に延びている。また、フィルタ保持リング３は、その内周面に環状溝２３Ａを備える。環状溝２３Ａは、光学フィルタ２の環状面取面１３と環状外周面１４の境界の角部１５の径方向の外側に位置する部分に設けられている。環状溝２３Ａは、軸線Ｌを含む平面でフィルタ保持リング３を切断した場合の断面形状が外周側に向かって先細りとなる三角形である。環状溝２３Ａは、軸線Ｌと直交する環状の後向き面と、後向き面の外周側の端から後方に向かって内周側に傾斜するテーパー面によって規定されている。
【００６０】
後側ストッパ２２は、図６（ｂ）に示すように、フィルタ保持リング３において環状溝２３Ａが設けられている部分を内周側に折り曲げることにより形成される。より詳細には、後側ストッパ２２は、フィルタ保持リング３の後端部分を、環状溝２３Ａが塞がれる状態になるまで（断面形状が三角形の溝内空間が無くなる状態になるまで）内周側に折り曲げることにより設けられる。ここで、環状溝２３Ａの底となる三角形の頂角の角度は、光学フィルタ２の環状面取面１３の傾斜角度に対応する所定の角度とされている。これにより、フィルタ保持リング３の後端部分を環状溝２３Ａを塞ぐ状態になるまで内周側に折り曲げると、後側ストッパ２２の前向き面は、環状面取面１３に沿ったテーパー面となる。
【００６１】
光学フィルタ２が前側ストッパ２１と後側ストッパ２２の間に保持された状態では、光学フィルタ２は、フィルタ保持リング３に対して軸線Ｌ回りに相対回転可能である。すなわち、光学フィルタ２の環状外周面１４とフィルタ保持リング３のリング側環状内周面２４の間に片肉０．０１ｍｍ〜０．０２ｍｍ程度の隙間が形成されている。また、光学フィルタ２の前側フィルタ面１１を前側ストッパ２１に当接させた場合に、光学フィルタ２の後側フィルタ面１２の環状面取面１３と、後側ストッパ２２におけるテーパー状の前向き面２２ａとの間には０．０３ｍｍ以下の隙間Ｇが形成される。
【００６２】
（作用効果）
本例によれば、光学フィルタ２は軸線Ｌ回りに相対回転可能な状態でフィルタ保持リング３に保持されている。従って、フィルタ保持リング３に保持された状態の光学フィルタ２にかかるストレス（圧力）はゼロに近い。
【００６３】
ここで、本例のカメラ用フィルタユニット１Ａは、光学フィルタ２に後方から当接する第２の後側ストッパを備えていない。しかし、本例では、光学フィルタ２と後側ストッパ２２の前向き面２２ａとの間の隙間Ｇが０．０３ｍｍ以下であり、狭い。従って、光学フィルタ２が前側ストッパ２１と後側ストッパ２２の間でガタつくことがなく、光学フィルタ２はフィルタ保持リング３と同軸に保持された状態に維持される。なお、隙間Ｇを０．
０５ｍｍ以下としておけば、カメラ用フィルタ枠６に保持された光学フィルタ２がガタつくことはない。従って、カメラ用フィルタユニット１Ａは、レンズ鏡筒に装着されてカメラに搭載された場合に、実用に耐える。
【００６４】
また、本例では、フィルタ保持リング３を外周側から保持するフィルタ枠４を備えるので、当該フィルタ枠４に撮像レンズのレンズ鏡筒やカメラへの装着部を設けることができる。
【００６５】
さらに、本例では、フィルタ枠４に設けた後側突部４１が、後側ストッパ２２よりも内周側に突出しており、後側ストッパ２２を軸線Ｌ方向の後方Ｘ２から被う。従って、後側突部４１により後側ストッパ２２を保護できる。また、本例では、後側ストッパ２２の後端と後側突部４１の環状前端面４１ａの隙間Ｈを０．０２ｍｍ以下としている。従って、内周側への折り曲げ加工により形成された後側ストッパ２２が外周側に変形しようとした場合には、後側ストッパ２２の後端と後側突部４１が干渉する。すなわち、フィルタ枠４は、後側ストッパ２２が外周側に変位すると干渉して、後側ストッパ２２の外周側への変形を阻止する干渉部（後側突部４１）を備える。従って、光学フィルタ２はフィルタ保持リング３と同軸に保持された状態に維持される。
【００６６】
また、後側ストッパ２２を、その前向き面２２ａが光学フィルタ２の後側フィルタ面１２の外周縁部分に沿う環状面となるように設けることもできる。すなわち、後側ストッパ２２を形成する際に、当該後側ストッパ２２の後端部分を内周側に直角に折り曲げて、その前向き面２２ａを軸線Ｌを直交する平坦面とし、後側ストッパ２２（前向き面２２ａ）が後側フィルタ面１２に後方から当接可能としてもよい。この場合にも、光学フィルタ２を前側ストッパ２１に当接させたときに形成される光学フィルタ２と後側ストッパ２２の前向き面２２ａとの間の隙間Ｇを０．０５ｍｍ以下とすれば、光学フィルタ２を回転可能な状態でフィルタ保持リング３に同軸に保持することができる。また、この場合には、フィルタ保持リング３の内周面に形成される環状溝２３Ａの断面形状を矩形とすることができる。
【００６７】
（参考例２の変形例）
図７は参考例２の変形例のカメラ用フィルタユニットにおける光学フィルタ２の外周縁部分の近傍を拡大した部分拡大断面図である。なお、変形例のカメラ用フィルタユニット１Ａ´は、参考例２のカメラ用フィルタユニット１Ａと同様の構成を備えるので、対応する部分には同一の符号を付してその説明を省略する。
【００６８】
図７に示すように、本例のカメラ用フィルタユニット１Ａ´は、フィルタ保持リング３が軸線Ｌと直交する方向に貫通する接着剤注入孔（貫通孔）４７を備える。接着剤注入孔４７は外周側から内周側に向かって内径寸法が小さくなるテーパー内周面を備える。接着剤注入孔４７は等角度間隔で３つ設けられている。また、本例のカメラ用フィルタユニット１Ａ´は、光学フィルタ２の環状外周面１４と、フィルタ保持リング３のリング側環状内周面２４の間に介在する接着剤４８を備える。接着剤４８は接着剤注入孔４７を介してフィルタ保持リング３と光学フィルタ２の間に入り込んでいる。光学フィルタ２は、前側フィルタ面１１の外周縁部分が前側ストッパ２１の環状後端面（後向き面）２１ａに当接した状態とされている。接着剤４８は前側ストッパ２１に当接した状態の光学フィルタ２をフィルタ保持リング３に回転不能に固定する。
【００６９】
本例によれば、参考例２のカメラ用フィルタユニット１Ａと同様の作用効果を得ることができる。また、本例によれば、光学フィルタ２の軸線Ｌ回りの回転を防止できる。さらに、本例によれば、光学フィルタ２の姿勢を前側ストッパ２１に当接した姿勢に正確に規定することができ、当該姿勢を維持できる。
【００７０】
なお、変形例のカメラ用フィルタユニット１Ａ´において、フィルタ保持リング３に設ける接着剤注入孔４７は、１つでもよく、２つ、或いは４つ以上でもよい。
【００７１】
（実施例）
図８（ａ）は実施例のカメラ用フィルタユニットを模式的に示した縦断面図であり、図８（ｂ）は実施例のカメラ用フィルタユニットにおける光学フィルタ２の外周縁部分の近傍を拡大した部分拡大断面図である。本例のカメラ用フィルタユニット１Ｂは、光学フィルタ２の後方Ｘ２への移動を阻止する後側ストッパ４５がフィルタ枠４に設けられている。なお、本例のカメラ用フィルタユニット１Ｂは参考例１のカメラ用フィルタユニット１と同様の構成を備えるので、対応する部分には同一の符号を付して、その説明を省略する。
【００７２】
図８（ａ）に示すように、本発明のカメラ用フィルタユニット１Ｂは、光学フィルタ２と、内周側に光学フィルタ２が同軸に嵌め込まれたフィルタ保持リング３（筒体）３と、フィルタ保持リング３を外周側から同軸に保持するフィルタ枠４（枠体）４を有する。フィルタ保持リング３およびフィルタ枠４は光学フィルタ２を保持するカメラ用フィルタ枠６を構成する。
【００７３】
フィルタ保持リング３は、前端縁に内周側に突出する前側ストッパ２１を備える。前側ストッパ２１の環状後端面（後向き面）２１ａは軸線Ｌと直交する平坦面である。前側ストッパ２１は光学フィルタ２に前方Ｘ１から当接可能であり、光学フィルタ２の前方Ｘ１への移動を阻止する。フィルタ保持リング３の後側部分は光学フィルタ２の環状外周面１４と平行に延びている。すなわち、フィルタ保持リング３の後側部分は一定の径寸法を備えている。ここで、フィルタ保持リング３において前側ストッパ２１から後方Ｘ２に延びるリング側環状内周面２４の幅寸法Ｗ１は光学フィルタ２の厚さ寸法Ｄ１よりも長い。本例において、リング側環状内周面２４の幅寸法Ｗ１と光学フィルタ２の厚さ寸法Ｄ１の差分は０．０３ｍｍ以下である。また、フィルタ保持リング３の内周側に嵌め込まれた光学フィルタ２の環状外周面１４とフィルタ保持リング３のリング側環状内周面２４の間には、片肉０．０１ｍｍ〜０．０２ｍｍ程度の隙間が形成されている。
【００７４】
フィルタ枠４は後端部に後側ストッパ４５を備える。後側ストッパ４５は、フィルタ枠４から内周側に一定高さで突出する環状の突部であり、前方Ｘ１を向く環状前端面（前向き面）４５ａと内周側を向く環状内周面４５ｂを備える。後側ストッパ４５の環状内周面４５ｂは光学フィルタ２の環状面取面１３よりも内周側に位置する。環状前端面４５ａは軸線Ｌと直交する平坦面であり、光学フィルタ２の後側フィルタ面１２に沿って延びている。軸線Ｌ方向の後方Ｘ２から見た場合には、後側ストッパ４５は、光学フィルタ２の後面の外周縁部分である後側フィルタ面１２の外周縁部分および環状面取面１３と重なっている。後側ストッパ４５は光学フィルタ２（後側フィルタ面１２の外周縁部分）に後方Ｘ２から当接可能であり、光学フィルタ２の後方Ｘ２への移動を阻止する。
【００７５】
ここで、フィルタ保持リング３は、その後端３ａがフィルタ枠４に設けられた後側ストッパ４５の前向き面に当接するまでフィルタ枠４にねじ込まれて、固定されている。フィルタ保持リング３とフィルタ枠４の固定には接着剤３５を用いることもできる。
【００７６】
フィルタ保持リング３がフィルタ枠４に固定された状態では、リング側雄ねじ２５の後方に連続するリング側環状後向き面２７とフィルタ枠４の枠側環状前向き面３４は当接している。また、フィルタ保持リング３がフィルタ枠４に固定された状態では、光学フィルタ２は前側ストッパ２１とフィルタ枠４の後側ストッパ４５の間で軸線Ｌ回りに回転可能である。すなわち、光学フィルタ２の環状外周面１４とフィルタ保持リング３のリング側
環状内周面２４の間に片肉０．０１ｍｍ〜０．０２ｍｍ程度の隙間が形成されている。また、光学フィルタ２の前側フィルタ面１１を前側ストッパ２１に当接させた場合に、光学フィルタ２の後側フィルタ面１２と、後側ストッパ４５の環状前端面４５ａの間に、０．０３ｍｍ以下の隙間Ｇ１が形成される。
【００７７】
（作用効果）
本例によれば、光学フィルタ２は軸線Ｌ回りに相対回転可能な状態でカメラ用フィルタ枠６に保持されている。従って、カメラ用フィルタ枠６に保持された状態の光学フィルタ２にかかるストレス（圧力）はゼロに近い。
【００７８】
また、本例では、光学フィルタ２を前側ストッパ２１に当接させた場合に、光学フィルタ２と後側ストッパ２２の前向き面２２ａとの間の隙間Ｇが０．０５ｍｍ以下であり、狭い。さらに、前側ストッパ２１が形成されたフィルタ保持リング３の後端３ａと、後側ストッパ４５の環状前端面４５ａとの当接によって、前側ストッパ２１と後側ストッパ４５の間の寸法が正確に規定される。従って、光学フィルタ２が前側ストッパ２１と後側ストッパ２２の間でガタつくことがなく、光学フィルタ２はフィルタ保持リング３と同軸に保持された状態に維持される。
【００７９】
また、本例では、フィルタ保持リング３を外周側から保持するフィルタ枠４を備えるので、当該フィルタ枠４に撮像レンズのレンズ鏡筒やカメラへの装着部を設けることが容易である。
【００８０】
なお、本例においても、参考例２の変形例のカメラ用フィルタユニット１Ａ´と同様に、フィルタ保持リング３に接着剤注入孔４７（貫通孔）を設け、接着剤注入孔４７を介して、フィルタ保持リング３と光学フィルタ２の間に接着剤４８を介在させることができる。このようにすれば、光学フィルタ２の軸線Ｌ回りの回転を防止できる。また、光学フィルタ２の姿勢を、当該光学フィルタ２の前側フィルタ面１１の外周縁部分が前側ストッパ２１の環状後端面２１ａに当接する姿勢に正確に規定することができ、当該姿勢を維持できる。
【００８１】
（参考例３）
図９（ａ）は参考例３のカメラ用フィルタユニットを模式的に示した縦断面図であり、図９（ｂ）は参考例３のカメラ用フィルタユニットにおける光学フィルタ２の外周縁部分の近傍を拡大した部分拡大断面図である。本例のカメラ用フィルタユニット１Ｃは、フィルタ保持リング３を備えておらず、光学フィルタ２はフィルタ枠（筒体）４に保持されている。なお、本例のカメラ用フィルタユニット１Ｃは参考例１のカメラ用フィルタユニット１と対応する構成を備えるので、対応する部分には同一の符号を付して、その説明を省略する。
【００８２】
図９（ａ）に示すように、参考例３のカメラ用フィルタユニット１Ｃは、光学フィルタ２と、内周側に光学フィルタ２が同軸に嵌め込まれたフィルタ枠４と、フィルタ枠４の内周側に取り付けられた止めリング７を備える。フィルタ枠４および止めリング７はカメラ用フィルタ枠６を構成している。
【００８３】
図９（ｂ）に示すように、フィルタ枠４は、その内周面に、前方Ｘ１から後方Ｘ２に向かって、枠側雌ねじ３１、環状段部５１、光学フィルタ保持面５２、後側ストッパ５３を備える。枠側雌ねじ３１は、フィルタ枠４の前端縁から後方Ｘ２に向けて一定幅の領域に形成されている。環状段部５１は、枠側雌ねじ３１から後方Ｘ２に向かって一定の径寸法で延びる環状内向き面５１ａと、環状内向き面５１ａの後端から径方向（軸線Ｌと直交する方向）を内周側に向かって延びる環状前向き面５１ｂを備える。光学フィルタ保持面５
２は、内周側を向く環状面であり、環状前向き面５１ｂの内周側の端から後方Ｘ２に向かって一定の径寸法で延びている。光学フィルタ２は、光学フィルタ保持面５２の内周側に嵌め込まれてフィルタ枠４に同軸に保持されている。光学フィルタ保持面５２と光学フィルタ２の環状外周面１４との間には片肉０．０１ｍｍ〜０．０２ｍｍ程度の隙間がある。
【００８４】
後側ストッパ５３は、フィルタ枠４の後端部分から内周側に一定高さで突出する環状の突部である。後側ストッパ５３は、前方Ｘ１を向く環状前端面（前向き面）５３ａと内周側を向く環状内周面５３ｂを備える。後側ストッパ５３の環状内周面５３ｂは光学フィルタ２の環状面取面１３よりも内周側に位置する。環状前端面５３ａは軸線Ｌと直交する平坦面であり、光学フィルタ２の後側フィルタ面１２に沿って延びている。軸線Ｌ方向の後方Ｘ２から見た場合には、後側ストッパ５３は、光学フィルタ２の後面の外周縁部分である後側フィルタ面１２の外周縁部分および環状面取面１３と重なっている。後側ストッパ４５は光学フィルタ２（後側フィルタ面１２の外周縁部分）に後方Ｘ２から当接可能であり、光学フィルタ２の後方Ｘ２への移動を阻止する。
【００８５】
止めリング７は、その内周面に内周側に突出する前側ストッパ２１を備える。前側ストッパ２１は環状突起である。前側ストッパ２１の環状後端面（後向き面）２１ａは軸線Ｌと直交する平坦面である。前側ストッパ２１は光学フィルタ２に前方Ｘ１から当接可能であり、光学フィルタ２の前方Ｘ１への移動を阻止する。また、止めリング７は、前側ストッパ２１の環状後端面２１ａの外周側の端から後方Ｘ２に延びるリング側環状内周面２４を備える。リング側環状内周面２４の内径寸法は、光学フィルタ保持面５２の内径寸法と同一とされている。
【００８６】
止めリング７の外周面には、前端縁から後方Ｘ２に向けて一定幅の領域にリング側雄ねじ２５が形成されている。リング側雄ねじ２５は枠側雌ねじ３１と螺合可能である。止めリング７の外周面においてリング側雄ねじ２５の後方Ｘ２には、径寸法が一定のリング側環状外周面２６が設けられている。
【００８７】
止めリング７は、リング側雄ネジ２５が、光学フィルタ２を保持した状態のフィルタ枠４の枠側雌ネジ３１に前方から捩じ込まれる。また、止めリング７は、当該止めリング７の後端７ａが、フィルタ枠４の環状段部５１の環状前向き面５１ｂに当接するまで捩じ込まれて、フィルタ枠４に同軸に固定される。これにより、光学フィルタ２は、止めリング７に設けられた前側ストッパ２１とフィルタ枠４に設けられた後側ストッパ５３の間に保持される。なお、止めリング７とフィルタ枠４を接着剤３５により固定してもよい。
【００８８】
止めリング７がフィルタ枠４に固定された状態では、リング側環状外周面２６と環状段部５１の環状内向き面５１ａが当接する。また、リング側環状内周面２４と光学フィルタ保持面５２が段差のない環状面を形成する。ここで、リング側環状内周面２４と光学フィルタ保持面５２により形成される環状面の幅寸法Ｗ２は光学フィルタ２の厚さ寸法Ｄ１よりも長い。本例において、リング側環状内周面２４と光学フィルタ保持面５２により形成される環状面の幅寸法Ｗ２と光学フィルタ２の厚さ寸法Ｄ１の差分は０．０３ｍｍ以下である。
【００８９】
光学フィルタ２が前側ストッパ２１と後側ストッパ５３の間に保持された状態では、光学フィルタ２は、フィルタ枠４に対して軸線Ｌ回りに相対回転可能である。すなわち、リング側環状内周面２４と光学フィルタ保持面５２により形成される環状面と光学フィルタ２の環状外周面１４の間には、片肉０．０１ｍｍ〜０．０２ｍｍ程度の隙間が形成されている。また、光学フィルタ２の前側フィルタ面１１を前側ストッパ２１に当接させた場合に、光学フィルタ２の後側フィルタ面１２と後側ストッパ５３との間には、０．０３ｍｍ以下の隙間Ｇ２が形成される。
【００９０】
（作用効果）
本例によれば、光学フィルタ２は軸線Ｌ回りに相対回転可能な状態でフィルタ枠（筒体）４に保持されている。従って、フィルタ枠４に保持された状態の光学フィルタ２にかかるストレス（圧力）はゼロに近い。
【００９１】
また、本例では、光学フィルタ２を前側ストッパ２１に当接させた場合に、後側ストッパ５３と光学フィルタ２の間に形成される隙間Ｇ２が０．０５ｍｍ以下であり、狭い。さらに、本例では、前側ストッパ２１が形成された止めリング７の後端７ａと、後側ストッパ５３の環状前端面５３ａとの当接によって、前側ストッパ２１と後側ストッパ５３の間の寸法が正確に規定される。従って、光学フィルタ２が前側ストッパ２１と後側ストッパ５３の間でガタつくことがない。
【００９２】
なお、前側ストッパ２１がフィルタ枠４に一体に設けられており、後側ストッパ５３がフィルタ枠４の内周側に取り付けられる構成を採用することもできる。この場合には、前側ストッパ２１をフィルタ枠４から内周側に突出する環状の突部とする。一方、後側ストッパ５３を、フィルタ枠４に後方から挿入されて、当該フィルタ枠４の内周側に固定される止めリングとする。
【００９３】
また、本例においても、参考例２の変形例のカメラ用フィルタユニット１Ａ´と同様に、フィルタ枠４に接着剤注入孔４７（貫通孔）を設け、接着剤注入孔４７を介して、フィルタ枠４と光学フィルタ２の間に接着剤４８を介在させることができる。このようにすれば、光学フィルタ２の軸線Ｌ回りの回転を防止できる。また、光学フィルタ２の姿勢を、その前側フィルタ面１１の外周縁部分が前側ストッパ２１の環状後端面２１ａに当接した姿勢で正確に規定することができ、当該姿勢を維持できる。
【００９４】
（その他の実施の形態）
図１０は本発明を適用した撮像レンズを模式的に示した縦断面図である。撮像レンズ１Ｄは、参考例２の変形例のカメラ用フィルタユニット１Ａ´において、光学フィルタ２を光学レンズ（光学素子）８に替えたものである。なお、撮像レンズ１Ｄは、参考例２のカメラ用フィルタユニット１Ａ´と同様の構成を備えるので、対応する部分には同一の符号を付して、その説明を省略する。
【００９５】
光学レンズ８は凸レンズである。光学レンズ８は前方Ｘ１に凸の前側レンズ面６１と後方Ｘ２に凸の後側レンズ面６２を備える。後側レンズ面６２の外周縁には前方Ｘ１に向かって外周側に傾斜するテーパー状の後側面取面６３が連続している。後側面取面６３の前端縁には径寸法が一定の環状外周面６４が連続している。環状外周面６４の前端縁には前側レンズ面６１が連続している。
【００９６】
フィルタ保持リング３に設けられた前側ストッパ２１は、内周側に向かって前方Ｘ１に傾斜しており、前側ストッパ２１の後向き面２１ａは、前側レンズ面６１の外周縁部分に沿って延びるテーパー面となっている。前側ストッパ２１は、光学レンズ８に前方Ｘ１から当接可能であり、光学レンズ８の前方Ｘ１への移動を阻止する。後側ストッパ２２はフィルタ保持リング３の後端部分を内周側に折り曲げることにより設けられている。後側ストッパ２２の前向き面２２ａは光学レンズ８の後側面取面６３に沿って延びている。後側ストッパ２２は、光学レンズ８に後方Ｘ２から当接可能であり、光学レンズ８の後方Ｘ２への移動を阻止する。光学レンズ８は、フィルタ保持リング３に対して軸線Ｌ回りに相対回転可能な状態で保持されているが、フィルタ保持リング３と光学レンズ８の間に介在する接着剤４８によって回転不能とされている。光学レンズ８は、前側レンズ面６１が前側ストッパ２１に当接した状態で固定されている。
【００９７】
本例においても、光学レンズ８の環状外周面６４とフィルタ保持リング３のリング側環状内周面２４の間に片肉０．０１ｍｍ〜０．０２ｍｍ程度の隙間が形成されている。また、光学レンズ８の前側レンズ面６１を前側ストッパ２１に当接させた場合に、光学レンズ８の後側レンズ面６２の後側面取面６３と、後側ストッパ２２におけるテーパー状の前向き面２２ａとの間には０．０５ｍｍ以下の隙間が形成される。なお、前側ストッパ２１は、参考例２の変形例における前側ストッパ２１と同一の形状を備えるものでよい。すなわち、軸線Ｌと直交する方向に突出し、軸線Ｌと直交する環状後端面（後向き面）を備えるものでもよい。
【００９８】
かかる撮像レンズ１Ｄでは、光学レンズ８にかかるストレスがゼロに近い。従って、フルハイビジョンの何倍にもなる高解像度の撮影を行う場合などに、より綺麗な撮影画像や撮影動画が得られる。ここで、実施例、参考例１、２、３の各カメラ用フィルタユニット１、１Ａ〜１Ｃにおいても、光学フィルタ２に替えて光学レンズ８を搭載して、撮像レンズとすることができる。
【００９９】
なお、筒体の内周側に光学素子を同軸に配置し、前側ストッパ２１と後側ストッパの間で光学素子を回転可能に保持する光学部材の保持構造は、撮影機器や投影機器に光学素子を搭載する際にも採用できる。例えば、撮影機器や投影機器の光学系に光学フィルタ２を搭載する際に参考例１のカメラ用フィルタユニット１に対応する構成を採用できる。この場合には、光学フィルタ２を相対回転可能に保持したフィルタ保持リング３を機器に固定する。また、第２の後側ストッパ５３は、光学フィルタ２との間の距離を調節可能な距離調節機構を介して機器に搭載する。
【図１】
0006023887.tif 000002
【図２】
0006023887.tif 000003
【図３】
0006023887.tif 000004
【図５】
0006023887.tif 000005
【図６】
0006023887.tif 000006
【図７】
0006023887.tif 000007
【図８】
0006023887.tif 000008
【図９】
0006023887.tif 000009
【図１０】
0006023887.tif 000010
【図４】
0006023887.tif 000011